(57)【特許請求の範囲】
【請求項１】
炊飯器本体と、前記炊飯器本体内に着脱自在に収納される鍋と、前記炊飯器本体内に設け前記鍋を加熱する加熱手段と、前記炊飯器本体の上面開口部を覆い軸支部により開閉自在に軸支した蓋と、前記軸支部に設けた前記蓋を開放方向に付勢する複数の付勢ばねとを備え、前記炊飯器本体の正面から見て左側および右側にそれぞれ少なくとも一つの付勢ばねを設け、正面から見て左側の付勢ばねの付勢力と右側の付勢ばねの付勢力に、前記蓋の重心の偏りにより前記蓋に働く応力が打ち消し合うように差を設けた炊飯器。
【請求項２】
炊飯器本体と、前記炊飯器本体内に着脱自在に収納される鍋と、前記炊飯器本体内に設け前記鍋を加熱する加熱手段と、前記炊飯器本体の上面開口部を覆い軸支部により開閉自在に軸支した蓋と、前記軸支部に設けた前記蓋を開放方向に付勢する複数の付勢ばねとを備え、前記炊飯器本体の正面から見て左側および右側にそれぞれ少なくとも一つの付勢ばねを設け、正面から見て左側の付勢ばねの付勢力と右側の付勢ばねの付勢力に差を設け、前記蓋の剛性の左右差に応じて剛性の弱い方の付勢ばねを弱くした炊飯器。
【請求項３】
複数の付勢ばねは、ばね定数をほぼ等しくし、ばね角度を変化させて付勢力に差を設けた請求項１または２に記載の炊飯器。
【請求項４】
複数の付勢ばねは、ばね角度をほぼ等しくし、ばね定数を変化させて付勢力に差を設けた請求項１または２に記載の炊飯器。
【請求項５】
複数の付勢ばねの内少なくとも１つは、ばね角度を蓋の開き角度より小さく設定した請求項１または２に記載の炊飯器。
【発明の詳細な説明】
【０００１】
【発明の属する技術分野】
本発明は、炊飯器本体の上面開口部を覆い、付勢ばねにより開放方向に付勢する蓋を有する炊飯器に関するものである。
【０００２】
【従来の技術】
従来、この種の炊飯器は、付勢ばねを設けて、炊飯器本体の上面開口部を覆う蓋をワンタッチで開放できるよう構成している。
【０００３】
【発明が解決しようとする課題】
しかしながら、上述の炊飯器では、蓋を閉めたときに、蓋は常に開放方向に付勢されているため、長期の使用や、炊飯時と使用していないときとの温度変化等により、蓋が変形して蓋と炊飯器本体との間の隙間が大きくなることがある。このとき、蓋の剛性の左右差や、重心の左右どちらかへの偏り、蓋への左右不均等な応力の加わり、あるいは、蓋の軸支部分の強度の左右差等多くの条件の違いにより、蓋を閉めたときの蓋と炊飯器本体の隙間に左右差が生じ、見苦しくなるという問題があった。
【０００４】
本発明は上記従来の課題を解決するもので、長期使用や熱応力により蓋と炊飯器本体との隙間が生じたときでも、左右の隙間の差を少なくして外観の見栄えをよくすることを目的としている。
【０００５】
【課題を解決するための手段】
本発明は上記目的を達成するために、炊飯器本体内に鍋を着脱自在に収納し、炊飯器本体内に鍋を加熱する加熱手段を設け、炊飯器本体の上面開口部を軸支部により開閉自在に軸支した蓋により覆い、軸支部に設けた複数の付勢ばねにより蓋を開放方向に付勢するよう構成し、炊飯器本体の正面から見て左側および右側にそれぞれ少なくとも一つの付勢ばねを設け、正面から見て左側の付勢ばねの付勢力と右側の付勢ばねの付勢力に、前記蓋の重心の偏りにより蓋に働く応力が打ち消し合うように差を設けたものである。
【０００６】
これにより、長期使用や熱応力により蓋と炊飯器本体との隙間が生じたときでも、左右の隙間の差を少なくすることができ、外観の見栄えをよくすることができる。
【０００７】
【発明の実施の形態】
本発明の請求項１に記載の発明は、炊飯器本体と、前記炊飯器本体内に着脱自在に収納される鍋と、前記炊飯器本体内に設け前記鍋を加熱する加熱手段と、前記炊飯器本体の上面開口部を覆い軸支部により開閉自在に軸支した蓋と、前記軸支部に設けた前記蓋を開放方向に付勢する複数の付勢ばねとを備え、前記炊飯器本体の正面から見て左側および右側にそれぞれ少なくとも一つの付勢ばねを設け、正面から見て左側の付勢ばねの付勢力と右側の付勢ばねの付勢力に、前記蓋の重心の偏りにより前記蓋に働く応力が打ち消し合うように差を設けたものであり、蓋と炊飯器本体の隙間が大きくなる方の付勢ばねを弱くでき、長期使用や熱応力により蓋と炊飯器本体との隙間が生じたときでも、付勢ばねの付勢力の差により蓋と炊飯器本体の隙間の左右差を少なくすることができ、外観の見栄えをよくすることができる。
【０００８】
請求項２に記載の発明は、炊飯器本体と、前記炊飯器本体内に着脱自在に収納される鍋と、前記炊飯器本体内に設け前記鍋を加熱する加熱手段と、前記炊飯器本体の上面開口部を覆い軸支部により開閉自在に軸支した蓋と、前記軸支部に設けた前記蓋を開放方向に付勢する複数の付勢ばねとを備え、前記炊飯器本体の正面から見て左側および右側にそれぞれ少なくとも一つの付勢ばねを設け、正面から見て左側の付勢ばねの付勢力と右側の付勢ばねの付勢力に差を設け、前記蓋の剛性の左右差に応じて剛性の弱い方の付勢ばねを弱くしたものであり、蓋と炊飯器本体の隙間が大きくなる方の付勢ばねを弱くでき、長期の使用や、炊飯時と使用していないときとの温度変化等により隙間が変化してきたときでも隙間の左右差を少なくして外観の見栄えをよくするとともに、炊飯中に蒸気が漏れにくいようにすることができる。
【０００９】
請求項３に記載の発明は、上記請求項１または２に記載の発明において、複数の付勢ばねは、ばね定数をほぼ等しくし、ばね角度を変化させて付勢力に差を設けたものであり、蓋を閉めたときの付勢ばねの付勢力の差を大きく、蓋を開いたときの付勢力の差を小さくすることができ、このため、蓋が閉まって蓋に大きな付勢力がかかり蓋と炊飯器本体の隙間が不均一になる状態では、付勢ばねの付勢力の差を大きくして、蓋と炊飯器本体の隙間を均一化させることができる。蓋を開いた状態では、蓋の剛性や重心の左右不均衡の影響をほとんど受けないため、付勢力の差があれば蓋を開いたときの傾きの原因となるため、付勢ばねの蓋に加わる付勢力の差を小さくして、傾きの少ない蓋の開放状態を得ることができる。
【００１０】
請求項４に記載の発明は、上記請求項１または２に記載の発明において、複数の付勢ばねは、ばね角度をほぼ等しくし、ばね定数を変化させて付勢力に差を設けたものであり、蓋を閉めたときの付勢ばねの付勢力の差を大きく、蓋を開いたときの付勢力の差も大きくすることができ、このため、蓋が閉まって蓋に大きな付勢力がかかり蓋と炊飯器本体の隙間が不均一になる状態では、付勢ばねの付勢力の差を大きくして、蓋と炊飯器本体の隙間を均一化させることができるとともに、蓋を開いたときに蓋の軸支部の強度の左右差や、がたつきの左右差等により蓋を閉めたときの蓋と炊飯器本体の隙間の左右差と同じ方向に蓋を開いたときの傾きがある場合には、蓋を開いたときの付勢力の差も大きくなるため、蓋を開いたときの傾きを補正して、傾きの少ない蓋の開放状態を得ることができる。
【００１１】
請求項５に記載の発明は、上記請求項１または２に記載の発明において、複数の付勢ばねの内少なくとも１つは、ばね角度を蓋の開き角度より小さく設定したものであり、蓋を閉めたときの付勢ばねの付勢力の差により、長期使用や熱応力により蓋と炊飯器本体との隙間が生じたときでも、左右の隙間の差を少なくして外観の見栄えをよくすることができるとともに、蓋の開き角度よりばね角度を小さく設定した付勢ばねのばね角度以上に蓋が開くと、開く方向とは反対側の力が働き、蓋の開きにブレーキが掛かり、蓋の開きによる衝撃を和らげることができる。
【００１２】
【実施例】
以下、本発明の実施例について、図面を参照しながら説明する。
【００１３】
（実施例１）
図１に示すように、炊飯器本体１は、上面が開口し、内部に鍋２の収納部である保護枠３を配設し、この保護枠３の外側に加熱手段である誘導コイル４を設けている。蓋５は炊飯器本体１の上面開口部を覆うもので、この蓋５は炊飯器本体１の上部を構成する上枠６の上部に一体成形されたヒンジ部７にヒンジ軸（軸支部）８を介して開閉自在に支持している。
【００１４】
外蓋カバー９は、蓋５の内側に固定し、この外蓋カバ−９に発熱体である放熱板１０と鍋パッキン１１を備えた放熱板ユニット１２を着脱自在に取付けており、放熱板１０の上部に外蓋カバー９に支持されている蓋加熱手段である蓋誘導コイル１３が位置している。この蓋誘導コイル１３の電磁作用により放熱板１０が発熱する。
【００１５】
また、鍋パッキン１１は、蓋５を閉じたときに鍋２のフランジ１４に圧接してその鍋２を密閉するようになっている。
【００１６】
蒸気筒１５は蓋５に着脱自在に設け、この蒸気筒１５の下部に磁気性のあるフロート１６を炊飯時のおねばにより移動するように設けており、蓋５内のフロート１６に対向する位置にリードスイッチ１７を配している。おねばがフロート１６部分まで達するとフロート１６が移動し、リードスイッチ１７が検知し加熱手段である誘導コイル４への出力を制御し、おねばが外部に吹きこぼれるのを防止している。
【００１７】
また、蒸気筒１５を取り付けていないときには、リードスイッチ１７が検知して通電を停止する安全機構を備えるとともに、蓋５の開閉に際しても移動するように構成されており、蓋５の開閉検知も兼ねている。さらに、蓋５内の炊飯器本体１の正面からみて左側には放熱板１０の温度を検知する蓋センサー１８を放熱板１０に押圧して設けている。
【００１８】
操作基板１９は蓋５の天面前側に設け、この操作基板１９には操作状態や運転状態を表示する液晶表示部２０および操作ボタン２１を設けている。操作ボタン２１は、図３に示すように、右手で操作したときに液晶表示部２０が手で隠れないように液晶表示部２０の右側に配置している。
【００１９】
また、ヒンジ部７には蓋５を開放方向に付勢するキックばね構成の付勢ばね２２を設けている。この付勢ばね２２は、図２に示すように、左側付勢ばね２２ａを炊飯器本体１の向かって左側に設け、右側付勢ばね２２ｂを炊飯器本体１の向かって右側に設けている。ヒンジ部７と対向する炊飯器本体１の正面側に蓋５と係合するフックボタン２３を設け、フックボタン２３を押すと蓋５との係合が解除され、左側付勢ばね２２ａおよび右側付勢ばね２２ｂの付勢力により蓋５が開いて鍋２の取り出しや、鍋２内のご飯をよそうことができる。
【００２０】
本実施例では、蓋センサー１８を炊飯器本体１の左側に設けているため、蓋５を閉めた状態では、蓋センサー１８の押圧力により蓋５の左側を上に持ち上げようとする力が働く。また、操作ボタン２１が炊飯器本体１の右側に多くあるため蓋５内の部品が右側に多く集中することとなり、蓋５の重心が右側に片寄る。したがって、蓋５の下側への荷重が右側に偏る構成となっている。このように、操作性や部品の最適配置の関係等により、蓋５に働く応力に左右差が生じることがある。
【００２１】
そこで、本実施例では、蓋５が閉まっているときの左側付勢ばね２２ａと、右側付勢ばね２２ｂの付勢力の左右差と、蓋センサー１８の押圧力、および蓋５の重心の偏りによる蓋５に働く力が打ち消し合い、全体として蓋５にかかる応力が左右でほぼ等しくなるように、左側付勢ばね２２ａの付勢力を弱く、右側付勢ばね２２ｂの付勢力を強く調整することにより、炊飯器本体１の上部を構成する上枠６と蓋５の隙間をほぼ均一とすることができる。
【００２２】
また、内部部品の配置や形状の関係で、蓋５や外蓋カバー９の剛性に左右差が生じた場合や、外蓋カバー９の成形時の残留応力等の影響がある場合、蓋５を閉めたときの蓋５を持ち上げようとする力が左右で同じであっても、長期の使用や、炊飯時と使用していないときとの温度変化等により、蓋５の左右の剛性の違いや残留応力の左右差により蓋５の変形量が異なり、蓋５と上枠６との隙間が左右で違ってくるため外観の見栄えが悪くなったり、隙間の大きい方で鍋２のフランジ１４と鍋パッキン１１の間に隙間が生じて炊飯中に蒸気が漏れる恐れがある。
【００２３】
このため、予め、剛性が弱く隙間大きくなる方の付勢ばね２２を弱くし、反対側の付勢ばね２２を強く設定して、長期の使用や、炊飯時と使用していないときとの温度変化等により隙間が変化してきたときでも隙間の左右差を少なくして外観の見栄えをよくするとともに、炊飯中に蒸気が漏れにくいようにすることができる。
【００２４】
また、本実施例では、左側付勢ばね２２ａと右側付勢ばね２２ｂは、ばね定数に差を設け、ばね角度をほぼ等しくして付勢力に差を設けている。付勢力となるばねのモーメントは、ばね定数とばねのねじれ角の積となるため、図４に示すように、蓋５を閉めた状態（蓋開き角度０゜）から開いていくと、左側付勢ばね２２ａの付勢力ｍ１と、右側付勢ばね２２ｂの付勢力ｍ２の差は小さくなる。なお、蓋５が開いた状態は蓋開き角度は９０゜である。
【００２５】
このため、蓋５を閉めた状態で付勢力の差を大きくして、長期の使用や、炊飯時と使用していないときとの温度変化等により蓋５と上枠６の隙間が変化してきたときでも、隙間の左右差を少なくして外観の見栄えをよくするとともに、蓋５が開いた状態では蓋５の剛性や重心の左右不均衡等の影響をほとんど受けないため、付勢力の差を小さくして傾きのすくない蓋５の開放状態を得ることができる。
【００２６】
なお、本実施例では、長期の使用や、炊飯時と使用していないときとの温度変化等により蓋５と上枠６の隙間が正面から見て左側の方が大きくなる構成のため、左側付勢ばね２２ａの付勢力を弱く、右側付勢ばね２２ｂの付勢力を強くしているが、蓋５と上枠６の隙間が右側の方が大きくなる場合には、左側付勢ばね２２ａの付勢力を強く、右側付勢ばね２２ｂの付勢力を弱くすることとなる。
【００２７】
（実施例２）
図２に示す左側付勢ばね２２ａと右側付勢ばね２２ｂは、ばね角度に差を設け、ばね定数をほぼ等しくして付勢力に差を設けている。他の構成は上記実施例１と同じである。
【００２８】
これにより、図５に示すように、蓋５を閉めた状態（蓋開き角度０゜）での左側付勢ばね２２ａの付勢力ｍ３と右側付勢ばね２２ｂの付勢力ｍ４の差を大きく、蓋５を開いた状態（蓋開き角度９０゜）での左側付勢ばね２２ａの付勢力ｍ３と右側付勢ばね２２ｂの付勢力ｍ４の差も大きくすることができる。
【００２９】
このため、長期の使用や、炊飯時と使用していないときとの温度変化等により蓋５と上枠６の隙間が変化してきたときでも、隙間の左右差を少なくして外観の見栄えをよくするとともに、蓋５が開いた状態でもヒンジ部７の強度の左右差や、ヒンジ軸８のがたつきの左右差等により蓋５の傾きを補正して傾きの少ない開放状態を得ることができる。
【００３０】
（実施例３）
図２に示す左側付勢ばね２２ａと右側付勢ばね２２ｂは、ばね角度に差を設け、ばね定数をほぼ等しくして、図６に示すように、付勢ばね２２ａの付勢力ｍ５と右側付勢ばね２２ｂの付勢力ｍ６に差を設け、付勢力の弱い左側付勢ばね２２ａのばね角度を蓋５の開き角度約９０度より小さく設定している。他の構成は上記実施例１と同じである。
【００３１】
これにより、左側付勢ばね２２ａのばね角度より蓋５が開くと、左側付勢ばね２２ａは蓋５を開く方と反対側の力が働き、蓋５の開きにブレーキが掛かり、蓋５の開きによる衝撃を和らげることができる。
【００３２】
なお、本実施例でも、長期の使用や、炊飯時と使用していないときとの温度変化等により蓋５と上枠６の隙間が正面から見て左側の方が大きくなる構成のため、左側付勢ばね２２ａの付勢力を弱く、右側付勢ばね２２ｂの付勢力を強くしているため、左側付勢ばね２２ａのばね角度を蓋５の開き角度約９０度より小さく設定しているが、蓋５と上枠６の隙間が右側の方が大きくなる場合には、左側付勢ばね２２ａの付勢力を強く、右側付勢ばね２２ｂの付勢力を弱くし右側付勢ばね２２ｂのばね角度を蓋５の開き角度約９０度より小さく設定することとなる。
【００３３】
（実施例４）
図７に示すように、付勢ばね２４は、ヒンジ部７に蓋５を開放方向に付勢するように設けている。この付勢ばね２４は、正面から見て炊飯器本体１の左右方向の中心よりずらして設けている。他の構成は上記実施例１と同じである。すなわち、長期の使用や、炊飯時と使用していないときとの温度変化等により蓋５と上枠６の隙間が正面から見て左側の方が大きくなる構成となっている。
【００３４】
本実施例では、付勢ばね２４を炊飯器本体１の正面から見て右側にずらして配置し、付勢ばね２４の付勢力が右側の方が大きくなるように構成し、付勢ばね２４の炊飯器本体１の中心よりずらす位置を調整することで、長期の使用や、炊飯時と使用していないときとの温度変化等により生じる蓋５と上枠６の隙間が左右でほぼ均等となるようにすることができ、したがって、外観の見栄えをよくすることができる。
【００３５】
【発明の効果】
以上のように本発明の請求項１に記載の発明によれば、炊飯器本体と、前記炊飯器本体内に着脱自在に収納される鍋と、前記炊飯器本体内に設け前記鍋を加熱する加熱手段と、前記炊飯器本体の上面開口部を覆い軸支部により開閉自在に軸支した蓋と、前記軸支部に設けた前記蓋を開放方向に付勢する複数の付勢ばねとを備え、前記炊飯器本体の正面から見て左側および右側にそれぞれ少なくとも一つの付勢ばねを設け、正面から見て左側の付勢ばねの付勢力と右側の付勢ばねの付勢力に、前記蓋の重心の偏りにより前記蓋に働く応力が打ち消し合うように差を設けたから、重心の左右どちらかへの偏り、蓋への左右付均等な応力の加わり等がある状態で、長期の使用や、炊飯時と使用していないときとの温度変化等により蓋が変形して蓋と炊飯器本体との間の隙間が大きくなってきたときでも、付勢ばねの付勢力の差により蓋と炊飯器本体の隙間の左右差を少なくすることができ、外観の見栄えをよくすることができる。
【００３６】
また、請求項２に記載の発明によれば、飯器本体と、前記炊飯器本体内に着脱自在に収納される鍋と、前記炊飯器本体内に設け前記鍋を加熱する加熱手段と、前記炊飯器本体の上面開口部を覆い軸支部により開閉自在に軸支した蓋と、前記軸支部に設けた前記蓋を開放方向に付勢する複数の付勢ばねとを備え、前記炊飯器本体の正面から見て左側および右側にそれぞれ少なくとも一つの付勢ばねを設け、正面から見て左側の付勢ばねの付勢力と右側の付勢ばねの付勢力に差を設け、前記蓋の剛性の左右差に応じて剛性の弱い方の付勢ばねを弱くしたものであり、蓋と炊飯器本体の隙間が大きくなる方の付勢ばねを弱くでき、長期の使用や、炊飯時と使用していないときとの温度変化等により隙間が変化してきたときでも隙間の左右差を少なくして外観の見栄えをよくするとともに、炊飯中に蒸気が漏れにくいようにすることができる。
【００３７】
また、請求項３に記載の発明によれば、複数の付勢ばねは、ばね定数をほぼ等しくし、ばね角度を変化させて付勢力に差を設けたから、蓋を閉めたときの付勢ばねの付勢力の差を大きく、蓋を開いたときの付勢力の差を小さくすることができ、このため、蓋が閉まって蓋に大きな付勢力がかかり蓋と炊飯器本体の隙間が不均一になる状態では、付勢ばねの付勢力の差を大きくして、蓋と炊飯器本体の隙間を均一化させることができる。蓋を開いた状態では、蓋の剛性や重心の左右不均衡の影響をほとんど受けないため、付勢力の差があれば蓋を開いたときの傾きの原因となるため、付勢ばねの蓋に加わる付勢力の差が小さくして、傾きの少ない蓋の開放状態を得ることができる。
【００３８】
また、請求項４に記載の発明によれば、複数の付勢ばねは、ばね角度をほぼ等しくし、ばね定数を変化させて付勢力に差を設けたから、蓋を閉めたときの付勢ばねの付勢力の差を大きく、蓋を開いたときの付勢力の差も大きくすることができ、このため、蓋が閉まって蓋に大きな付勢力がかかり蓋と炊飯器本体の隙間が不均一になる状態では、付勢ばねの付勢力の差を大きくして、蓋と炊飯器本体の隙間を均一化させることができるとともに、蓋を開いたときに蓋の軸支部の強度の左右差や、がたつきの左右差等により蓋を閉めたときの蓋と炊飯器本体の隙間の左右差と同じ方向に蓋を開いたときの傾きがある場合には、蓋を開いたときの付勢力の差も大きくなるため、蓋を開いたときの傾きを補正して、傾きの少ない蓋の開放状態を得ることができる。
【００３９】
また、請求項５に記載の発明によれば、複数の付勢ばねの内少なくとも１つは、ばね角度を蓋の開き角度より小さく設定したから、蓋を閉めたときの付勢ばねの付勢力の差により、長期使用や熱応力により蓋と炊飯器本体との隙間が生じたときでも、左右の隙間の差を少なくして外観の見栄えをよくすることができるとともに、蓋の開き角度よりばね角度を小さく設定した付勢ばねのばね角度以上に蓋が開くと、開く方向とは反対側の力が働き、蓋の開きにブレーキが掛かり、蓋の開きによる衝撃を和らげることができる。
【図面の簡単な説明】
【図１】  本発明の第１の実施例の炊飯器の縦断面図
【図２】  同炊飯器の一部切欠した背面図
【図３】  同炊飯器の正面図
【図４】  同炊飯器の付勢ばねの付勢力と蓋開き角度の関係特性図
【図５】  本発明の第２の実施例の炊飯器の付勢ばねの付勢力と蓋開き角度の関係特性図
【図６】  本発明の第３の実施例の炊飯器の付勢ばねの付勢力と蓋開き角度の関係特性図
【図７】  本発明の第４の実施例の炊飯器の一部切欠した背面図
【符号の説明】
１  炊飯器本体
２  鍋
４  誘導コイル（加熱手段）
５  蓋
８  ヒンジ軸（軸支部）
２２  付勢ばね
２２ａ  左側付勢ばね
２３ａ  右側付勢ばね
【図１】
0004013500.tif 000002
【図２】
0004013500.tif 000003
【図３】
0004013500.tif 000004
【図４】
0004013500.tif 000005
【図５】
0004013500.tif 000006
【図６】
0004013500.tif 000007
【図７】
0004013500.tif 000008